(57)【特許請求の範囲】
【請求項１】
複数のセッション制御サーバに電話回線が収容されるネットワークに使用される輻輳制御装置が行う情報管理方法であって、
前記各セッション制御サーバを示すセッション制御サーバＩＤは、該セッション制御サーバＩＤに対応するセッション制御サーバを含むセッション制御サーバ群が当該セッション制御サーバＩＤの一部分に対応し、かつ、当該一部分の文字数が当該セッション制御サーバ群のセッション制御サーバ数に対応するような階層構造を有するものであり、
前記各電話回線を示す電話番号は、該電話番号に対応する電話回線を含む電話回線群が当該電話番号の一部分に対応し、かつ、当該一部分の文字数が当該電話回線群の電話回線数に対応するような階層構造を有するものであり、
前記輻輳制御装置は、同一のセッション制御サーバに収容された複数の電話回線を含む電話回線群について輻輳があった場合は、当該電話回線群を示す当該複数の電話回線の電話番号に共通な一部分である電話回線群情報ならびに当該セッション制御サーバのセッション制御サーバＩＤを含む輻輳制御指示を各セッション制御サーバに送信するものであり、
前記各セッション制御サーバは、
前記輻輳制御指示から前記電話回線群情報ならびにセッション制御サーバＩＤを取り出し保持し、該セッション制御サーバに呼が到来した場合は、該呼の宛先の電話番号に前記保持した電話回線群情報が含まれ、かつ、該呼の宛先のセッション制御サーバを示すセッション制御サーバＩＤが前記保持したセッション制御サーバＩＤに一致すれば、当該呼を規制対象とするものであり、
前記輻輳制御装置は、
前記各電話回線の電話番号ならびに前記各セッション制御サーバのセッション制御サーバＩＤが予め記憶される手段を備え、
前記情報管理方法は、
前記輻輳制御装置が、該手段において、該電話番号ならびに該セッション制御サーバＩＤを管理することを特徴とする情報管理方法。
【請求項２】
請求項１記載の輻輳制御装置が行う輻輳制御方法であって、
前記輻輳制御装置が、前記輻輳制御指示を各セッション制御サーバに送信することを特徴とする輻輳制御方法。
【請求項３】
請求項２記載のセッション制御サーバが行う輻輳制御方法であって、
前記セッション制御サーバが、呼の宛先の電話番号に前記保持した電話回線群情報が含まれ、かつ、該呼の宛先のセッション制御サーバを示すセッション制御サーバＩＤが前記保持したセッション制御サーバＩＤに一致するか否かを判定する工程を含むことを特徴とする輻輳制御方法。
【請求項４】
複数のセッション制御サーバに電話回線が収容されるネットワークに使用される輻輳制御装置であって、
前記各セッション制御サーバを示すセッション制御サーバＩＤは、該セッション制御サーバＩＤに対応するセッション制御サーバを含むセッション制御サーバ群が当該セッション制御サーバＩＤの一部分に対応し、かつ、当該一部分の文字数が当該セッション制御サーバ群のセッション制御サーバ数に対応するような階層構造を有するものであり、
前記各電話回線を示す電話番号は、該電話番号に対応する電話回線を含む電話回線群が当該電話番号の一部分に対応し、かつ、当該一部分の文字数が当該電話回線群の電話回線数に対応するような階層構造を有するものであり、
前記輻輳制御装置は、同一のセッション制御サーバに収容された複数の電話回線を含む電話回線群について輻輳があった場合は、当該電話回線群を示す当該複数の電話回線の電話番号に共通な一部分である電話回線群情報ならびに当該セッション制御サーバのセッション制御サーバＩＤを含む輻輳制御指示を各セッション制御サーバに送信するものであり、
前記各セッション制御サーバは、
前記輻輳制御指示から前記電話回線群情報ならびにセッション制御サーバＩＤを取り出し保持し、該セッション制御サーバに呼が到来した場合は、該呼の宛先の電話番号に前記保持した電話回線群情報が含まれ、かつ、該呼の宛先のセッション制御サーバを示すセッション制御サーバＩＤが前記保持したセッション制御サーバＩＤに一致すれば、当該呼を規制対象とするものであり、
前記輻輳制御装置は、
前記各電話回線の電話番号ならびに前記各セッション制御サーバのセッション制御サーバＩＤが予め記憶される手段と、
前記輻輳制御指示を各セッション制御サーバに送信する手段とを備えることを特徴とする輻輳制御装置。
【発明の詳細な説明】
【技術分野】
【０００１】
本発明は、情報管理方法、輻輳制御方法および輻輳制御装置に関するものである。
【背景技術】
【０００２】
回線交換網やIP(Internet Protocol)網など、複数の網を介して電話番号により識別される加入者間での通信サービスを行う場合において、通信網・通信サーバを輻輳から守るのに輻輳制御技術が用いられる。
【０００３】
図９は、従来の輻輳制御の一例を示す図である。  
輻輳制御装置４Ａは、＃１〜＃６のセッション制御サーバ１ａに収容された電話回線の局番を保持している。輻輳制御装置４Ａは、＃１のセッション制御サーバ１ａについては、局番「０１１２１０」、「０１１２２０」、「０１１２３０」などを保持している。
【０００４】
＃１のセッション制御サーバ１ａが輻輳した場合、保守者は網管理端末４０１に当該セッション制御サーバ１ａなどを示す制御指示を投入し、網管理端末４０１が輻輳制御装置４Ａに制御指示を通知する。
【０００５】
輻輳制御装置４Ａは、＃１のセッション制御サーバ１ａに収容された電話回線の局番ごとに、当該局番を含む輻輳制御指示を＃２〜＃６のセッション制御サーバ１ａに送信し、各セッション制御サーバ１ａは、局番を保持する。
【０００６】
電話回線を収容する＃２〜＃４のセッション制御サーバ１ａおよびネットワーク１１に接続される＃６のセッション制御サーバ１ａのそれぞれは、例えば、＃４のセッション制御サーバ１ａは、到来した呼の宛先の電話番号が「０１１２１０１１１１」であった場合、これに局番「０１１２１０」が含まれるので、呼を宛先の＃１のセッション制御サーバ１ａへルーチングしないように規制を行う。
【０００７】
図１０は、従来の輻輳制御の別な一例を示す図である。  
輻輳制御装置４Ａは、＃１〜＃６のセッション制御サーバ１ａのセッション制御サーバＩＤを保持している。
【０００８】
＃１のセッション制御サーバ１ａに輻輳が生じた場合、保守者は網管理端末４０１にそのセッション制御サーバ１ａならびにこれに隣接する＃２、＃５のセッション制御サーバ１ａを示す制御指示を投入し、網管理端末４０１が輻輳制御装置４Ａに制御指示を通知する。
【０００９】
輻輳制御装置４Ａは、輻輳した＃１のセッション制御サーバ１ａならびに隣接するセッション制御サーバ１ａのセッション制御サーバＩＤの組を含む輻輳制御指示を＃２〜＃４、＃６のセッション制御サーバ１ａに送信し、各セッション制御サーバ１ａは、各セッション制御サーバＩＤの組を保持する。
【００１０】
＃１のセッション制御サーバ１ａに隣接する＃２、＃５のセッション制御サーバ１ａのそれぞれは、例えば、＃５のセッション制御サーバ１ａは、例えば＃４のセッション制御サーバ１ａから転送された呼の宛先のセッション制御サーバ１ａのセッション制御サーバＩＤならびに自身のセッション制御サーバＩＤの組を保持していた場合、呼を宛先の＃１のセッション制御サーバ１ａへルーチングしないように規制を行う。
【００１１】
図１１は、従来の輻輳制御のさらに別な一例を示す図である。  
輻輳制御装置４Ａは、＃１〜＃６のセッション制御サーバ１ａのセッション制御サーバＩＤを保持している。
【００１２】
＃１のセッション制御サーバ１ａに輻輳が生じた場合、保守者は網管理端末４０１にそのセッション制御サーバ１ａなどを示す制御指示を投入し、網管理端末４０１が輻輳制御装置４Ａに制御指示を通知する。
【００１３】
輻輳制御装置４Ａは、輻輳した＃１のセッション制御サーバ１ａのセッション制御サーバＩＤ（「server1.area1.ns.co.jp」とする）を含む輻輳制御指示を＃２〜＃６のセッション制御サーバ１ａに送信し、各セッション制御サーバ１ａは、各セッション制御サーバＩＤを保持する。
【００１４】
電話回線を収容する＃２〜＃４のセッション制御サーバ１ａおよびネットワーク１１に接続される＃６のセッション制御サーバ１ａのそれぞれは、例えば、＃４のセッション制御サーバ１ａは、到来した呼の宛先の電話番号が「０１１２１０１１１１」であった場合、その電話番号を含む問い合わせをロケーションサーバ３に行う。当該電話番号の電話回線が＃１のセッション制御サーバ１ａに収容されている場合、＃４のセッション制御サーバ１ａは、ロケーションサーバ３から、＃１のセッション制御サーバ１ａを示すセッション制御サーバＩＤ「server1.area1.ns.co.jp」を通知される。＃４のセッション制御サーバ１ａは、通知されたセッション制御サーバＩＤが、保持したセッション制御サーバＩＤに一致するので、呼を宛先の＃１のセッション制御サーバ１ａへルーチングしないように規制を行う。
【００１５】
また、複数のセッション制御サーバ１ａに輻輳が生じた場合は、各セッション制御サーバ１ａにつき、上記の輻輳制御が行われる。
【先行技術文献】
【特許文献】
【００１６】
【特許文献１】特開２０１０−２０００２９号公報
【発明の概要】
【発明が解決しようとする課題】
【００１７】
しかし、図９に示す輻輳制御では、＃４のセッション制御サーバ１ａは、到来した呼の宛先の電話番号が、ネットワーク１１に接続された電話端末１１１に対応するものであり、局番「０１１２１０」を含む場合、ネットワーク１１が輻輳していないにも拘わらず、呼をネットワーク１１へルーチングしないように規制を行ってしまうこととなり、呼の疎通率が低下する。
【００１８】
また、図１０に示す輻輳制御では、＃４のセッション制御サーバ１ａから転送された呼を＃５のセッション制御サーバ１ａで規制できても、入り口の＃４のセッション制御サーバ１ａで規制できなので、入り口のセッション制御サーバ１ａのリソースを無駄に消費してしまう問題がある。
【００１９】
また、図１１に示す輻輳制御では、＃１のセッション制御サーバ１ａに収容された一部の電話回線について輻輳があった場合であっても、＃１のセッション制御サーバ１ａを宛先とする全ての呼が規制されるので、輻輳のない電話回線に呼をルーチングしても問題ないにも拘わらず、呼を規制してしまうことになり、呼の疎通率が低下する。よって、あるセッション制御サーバ１ａに収容された一部の電話回線について輻輳があっても、そうでない輻輳のない電話回線に呼をルーチングできるような、きめ細かな輻輳制御が望まれる。
【００２０】
また、図１１に示す輻輳制御では、複数のセッション制御サーバ１ａに輻輳が生じた場合、それぞれについて、同様の輻輳制御を行わなければならないので、各セッション制御サーバ１ａおよび輻輳制御装置４Ａの処理負荷が大きく、保守者の作業量も多くなる。
【００２１】
本発明は、上記の課題に鑑みてなされたものであり、その第１の目的とするところは、呼の疎通率低下を防止し、かつ、網の入り口で呼を規制し、かつ、複数のセッション制御サーバでの輻輳を解消するための輻輳制御装置、かかる目的達成のための情報管理方法および輻輳制御方法を提供することにある。
【００２２】
また、第２の目的とするところは、呼の疎通率低下を防止し、かつ、呼の入り口で呼を規制し、かつ、あるセッション制御サーバに収容された一部の電話回線について輻輳があっても、輻輳のない電話回線に呼をルーチングできるようなきめ細かな輻輳制御を行うための輻輳制御装置、かかる目的達成のための情報管理方法および輻輳制御方法を提供することにある。
【課題を解決するための手段】
【００２６】
第１の本発明は、複数のセッション制御サーバに電話回線が収容されるネットワークに使用される輻輳制御装置が行う情報管理方法であって、前記各セッション制御サーバを示すセッション制御サーバＩＤは、該セッション制御サーバＩＤに対応するセッション制御サーバを含むセッション制御サーバ群が当該セッション制御サーバＩＤの一部分に対応し、かつ、当該一部分の文字数が当該セッション制御サーバ群のセッション制御サーバ数に対応するような階層構造を有するものであり、前記各電話回線を示す電話番号は、該電話番号に対応する電話回線を含む電話回線群が当該電話番号の一部分に対応し、かつ、当該一部分の文字数が当該電話回線群の電話回線数に対応するような階層構造を有するものであり、前記輻輳制御装置は、同一のセッション制御サーバに収容された複数の電話回線を含む電話回線群について輻輳があった場合は、当該電話回線群を示す当該複数の電話回線の電話番号に共通な一部分である電話回線群情報ならびに当該セッション制御サーバのセッション制御サーバＩＤを含む輻輳制御指示を各セッション制御サーバに送信するものであり、前記各セッション制御サーバは、前記輻輳制御指示から前記電話回線群情報ならびにセッション制御サーバＩＤを取り出し保持し、該セッション制御サーバに呼が到来した場合は、該呼の宛先の電話番号に前記保持した電話回線群情報が含まれ、かつ、該呼の宛先のセッション制御サーバを示すセッション制御サーバＩＤが前記保持したセッション制御サーバＩＤに一致すれば、当該呼を規制対象とするものであり、前記輻輳制御装置は、前記各電話回線の電話番号ならびに前記各セッション制御サーバのセッション制御サーバＩＤが予め記憶される手段を備え、前記情報管理方法は、前記輻輳制御装置が、該手段において、該電話番号ならびに該セッション制御サーバＩＤを管理することを特徴とする。
【００２７】
例えば、前記輻輳制御装置は、前記輻輳制御指示を各セッション制御サーバに送信する。
【００２８】
例えば、前記セッション制御サーバは、呼の宛先の電話番号に前記保持した電話回線群情報が含まれ、かつ、該呼の宛先のセッション制御サーバを示すセッション制御サーバＩＤが前記保持したセッション制御サーバＩＤに一致するか否かを判定する。
【００３０】
第２の本発明は、複数のセッション制御サーバに電話回線が収容されるネットワークに使用される輻輳制御装置であって、前記各セッション制御サーバを示すセッション制御サーバＩＤは、該セッション制御サーバＩＤに対応するセッション制御サーバを含むセッション制御サーバ群が当該セッション制御サーバＩＤの一部分に対応し、かつ、当該一部分の文字数が当該セッション制御サーバ群のセッション制御サーバ数に対応するような階層構造を有するものであり、前記各電話回線を示す電話番号は、該電話番号に対応する電話回線を含む電話回線群が当該電話番号の一部分に対応し、かつ、当該一部分の文字数が当該電話回線群の電話回線数に対応するような階層構造を有するものであり、前記輻輳制御装置は、同一のセッション制御サーバに収容された複数の電話回線を含む電話回線群について輻輳があった場合は、当該電話回線群を示す当該複数の電話回線の電話番号に共通な一部分である電話回線群情報ならびに当該セッション制御サーバのセッション制御サーバＩＤを含む輻輳制御指示を各セッション制御サーバに送信するものであり、前記各セッション制御サーバは、前記輻輳制御指示から前記電話回線群情報ならびにセッション制御サーバＩＤを取り出し保持し、該セッション制御サーバに呼が到来した場合は、該呼の宛先の電話番号に前記保持した電話回線群情報が含まれ、かつ、該呼の宛先のセッション制御サーバを示すセッション制御サーバＩＤが前記保持したセッション制御サーバＩＤに一致すれば、当該呼を規制対象とするものであり、前記輻輳制御装置は、前記各電話回線の電話番号ならびに前記各セッション制御サーバのセッション制御サーバＩＤが予め記憶される手段と、前記輻輳制御指示を各セッション制御サーバに送信する手段とを備えることを特徴とする。
【発明の効果】
【００３１】
本発明によれば、呼の疎通率低下を防止し、かつ、呼の入り口で呼を規制し、かつ、複数のセッション制御サーバでの輻輳を解消するための技術を提供できる。
【００３２】
また、別の本発明によれば、呼の疎通率低下を防止し、かつ、呼の入り口で呼を規制し、かつ、あるセッション制御サーバに収容された一部の電話回線について輻輳があっても、輻輳のない電話回線に呼をルーチングできるようなきめ細かな輻輳制御を行うための技術を提供できる。
【図面の簡単な説明】
【００３３】
【図１】本実施の形態に係るネットワークの構成を示す図である。
【図２】各セッション制御サーバ１の概略構成を示すブロック図である。
【図３】本実施の形態における処理の流れを示すシーケンス図である。
【図４】本発明に係る輻輳制御の具体例を示す図である。
【図５】本発明に係る別な輻輳制御の具体例を示す図である。
【図６】図５と同じ輻輳制御についての別な具体例を示す図である。
【図７】セッション制御サーバＩＤにセッション制御サーバ群情報が含まれるか否かを判定する方法を示す図である。
【図８】宛先の電話番号に電話回線群情報が含まれ、かつ、宛先のセッション制御サーバＩＤが保持したセッション制御サーバＩＤに一致するか否かを判定する方法を示す図である。
【図９】従来の輻輳制御の一例を示す図である。
【図１０】従来の輻輳制御の別な一例を示す図である。
【図１１】従来の輻輳制御のさらに別な一例を示す図である。
【発明を実施するための形態】
【００３４】
以下、本発明の実施の形態について図面を参照して説明する。
【００３５】
図１は、本実施の形態に係るネットワークの構成を示す図である。  
複数のセッション制御サーバ１Ａには、それぞれ複数の電話回線が収容され、各電話回線は電話端末２で終端される。一部のセッション制御サーバ１Ａは、他のセッション制御サーバ１Ａに接続される。
【００３６】
セッション制御サーバ１Ａに接続されるセッション制御サーバ１Ｂは、中継ポイント１０を介して、他のネットワーク１１に接続される。ネットワーク１１にも電話端末（電話端末２と区別し、電話端末１１１とする）が接続される。一部のセッション制御サーバ１Ｂは、他のセッション制御サーバ１Ｂに接続される。
【００３７】
以下、セッション制御サーバ１Ａ、１Ｂを区別しないときは、それぞれをセッション制御サーバ１という。
【００３８】
セッション制御サーバ１は、SIP（Session Initiation Protocol）を用いた呼制御を行うサーバであり、電話端末２から呼を受信した場合に、各セッション制御サーバ１の中で呼を最後に受信するセッション制御サーバ１（呼の宛先のセッション制御サーバ１という）がどのセッション制御サーバ１かを電話番号によりロケーションサーバ３に問い合わせる機能、これに対し、ロケーションサーバ３から通知される宛先のセッション制御サーバ１の識別子（セッション制御サーバＩＤ）、または、呼とともに取得される当該宛先のセッション制御サーバ１のセッション制御サーバＩＤを基に呼を当該宛先のセッション制御サーバ１に向けてルーチングする機能を具備する。
【００３９】
輻輳制御装置４は、セッション制御サーバ１の輻輳を解消すべく、各セッション制御サーバ１に輻輳制御指示を送信するサーバであり、各セッション制御サーバ１のセッション制御サーバＩＤと各電話回線の電話番号を記憶するデータベース部４１と、輻輳したセッション制御サーバ１から輻輳情報を受信したなら、または、網管理端末４０１からの制御指示を受信したなら、データベース部４１からセッション制御サーバＩＤや電話番号などを読み出し、これにより輻輳制御指示を作成し、各セッション制御サーバ１に輻輳制御指示を送信する輻輳制御指示送信部４２とを備える。
【００４０】
各セッション制御サーバ１は、自身が輻輳した際は、輻輳制御装置４に輻輳情報を送信する。また、輻輳制御指示に基づき、輻輳したセッション制御サーバ１に向かう呼を規制する。
【００４１】
ロケーションサーバ３は、電話番号に対応するセッション制御サーバＩＤを一元管理し、セッション制御サーバ１から、電話番号を含む問い合わせを受けた場合、該電話番号が電話端末２のものであれば、該電話番号の電話回線を収容するセッション制御サーバ１のセッション制御サーバＩＤを、問い合わせ元のセッション制御サーバ１に通知し、該電話番号が電話端末１１１のものなら、ネットワーク１１を示す識別子を、当該問い合わせ元のセッション制御サーバ１に通知する機能を有する。
【００４２】
セッション制御サーバＩＤは、該セッション制御サーバＩＤに対応するセッション制御サーバ１を含むセッション制御サーバ群が当該セッション制御サーバＩＤの一部分に対応し、かつ、当該一部分の文字数が当該セッション制御サーバ群のセッション制御サーバ数に対応するような階層構造を有するものである。
【００４３】
例えば、＃１のセッション制御サーバ１のセッション制御サーバＩＤ「server1.area1.ns.co.jp」と、＃２のセッション制御サーバ１のセッション制御サーバＩＤ「server2.area1.ns.co.jp」は、共に「area1.ns.co.jp」を含む。つまり、「area1.ns.co.jp」は、これらのセッション制御サーバ１を含むセッション制御サーバ群を示すものである。
【００４４】
また、例えば、＃１〜＃４のセッション制御サーバ１のセッション制御サーバＩＤは、共に「ns.co.jp」を含む。つまり、「ns.co.jp」は、これらのセッション制御サーバ１を含むセッション制御サーバ群を示すものである。
【００４５】
つまり、共通部分の文字数が短いほど、セッション制御サーバ群におけるセッション制御サーバ数が多くなるようになっている。
【００４６】
また、各電話番号は、該電話番号に対応する電話回線を含む電話回線群が当該電話番号の一部分に対応し、かつ、当該一部分の文字数が当該電話回線群の電話回線数に対応するような階層構造を有するものである。
【００４７】
例えば、電話番号「０１１２１０９９９９」と「０１１２１０５８４６」は、共に「０１１２１０」を含む。つまり、「０１１２１０」は、これらの電話番号に対応する電話回線を含む電話回線群を示すものである。
【００４８】
また、共通部分の文字数が短いほど、電話回線群における電話回線数が多くなるようになっている。つまり、「０１１２１０」に対応する電話回線数より、「０１１」に対応する電話回線数の方が多いのである。
【００４９】
図２は、各セッション制御サーバ１の概略構成を示すブロック図である。  
セッション制御サーバ１は、受信した呼を他のセッション制御サーバ１や電話端末２に送信する呼処理部１０１と、自身のＣＰＵの使用率を測定するＣＰＵ使用率測定部などを含むリソース監視部１０２と、リソースの使用率が所定の閾値を超えた場合などに、輻輳制御装置４に対し、輻輳情報を送信する規制要求部１０３と、輻輳制御指示に基づき、輻輳したセッション制御サーバ１に向かう呼を規制するルーチング規制部１０４とを備える。
【００５０】
図３は、本実施の形態における処理の流れを示すシーケンス図である。  
輻輳制御の基本的な流れは、輻輳前の事前動作と輻輳後の輻輳制御動作からなる。
【００５１】
まず、事前動作について説明する。  
事前動作では、各セッション制御サーバ１は、自身のセッション制御サーバＩＤを輻輳制御装置４に通知する（Ｓ１）。
【００５２】
輻輳制御装置４は、各セッション制御サーバＩＤをデータベース部４１に記憶させる（Ｓ３）。
【００５３】
次に、輻輳制御動作について説明する。  
各セッション制御サーバ１のリソース監視部１０２は、ＣＰＵの使用率などのリソースの使用状況を監視し、リソースの使用率が所定の閾値を超えた場合、自身が輻輳していると判断し（Ｓ５）、規制要求部１０３は、輻輳制御装置４に対し、輻輳情報を送信する（Ｓ７）。
【００５４】
輻輳制御装置４の輻輳制御指示送信部４２は、輻輳情報の送信元のセッション制御サーバ１を示すセッション制御サーバＩＤをデータベース部４１から読み出し（Ｓ９）、該セッション制御サーバＩＤを含む輻輳制御指示を他のセッション制御サーバ１に送信する（Ｓ１１）。
【００５５】
輻輳制御指示を受信した各セッション制御サーバ１は、輻輳制御指示からセッション制御サーバＩＤを取り出し保持し、自身に呼が到来した場合、呼が当該セッション制御サーバＩＤのセッション制御サーバ１に向かうものであれば、呼を破棄するなど、つまり、呼を規制する（Ｓ１３）。
【００５６】
さらに、本実施の形態では、輻輳の状況に合わせて、保守者が網管理端末４０１に制御指示を投入し、網管理端末４０１が輻輳制御装置４に制御指示を通知し（Ｓ２１）、これにより、輻輳制御装置４が輻輳制御指示をセッション制御サーバ１に送信し（Ｓ２３）、セッション制御サーバ１が輻輳制御指示に基づき、呼を規制する（Ｓ２５）。
【００５７】
例えば、あるセッション制御サーバ１に収容された特定の電話回線について輻輳が生じた場合、保守者は網管理端末４０１にその電話回線を示す制御指示を投入し、網管理端末４０１が輻輳制御装置４に制御指示を通知し、これにより、輻輳制御装置４がその電話回線の電話番号を含む輻輳制御指示をセッション制御サーバ１に送信し、セッション制御サーバ１が当該電話番号の電話回線を宛先とする呼を規制する。
【００５８】
または、例えば、あるセッション制御サーバ１に輻輳が生じた場合、保守者は網管理端末４０１にそのセッション制御サーバ１ならびにこれに隣接するセッション制御サーバ１を示す制御指示を投入し、網管理端末４０１が輻輳制御装置４に制御指示を通知し、これにより、輻輳制御装置４が輻輳したセッション制御サーバ１ならびに隣接するセッション制御サーバ１のセッション制御サーバＩＤの組を含む輻輳制御指示をセッション制御サーバ１に送信し、セッション制御サーバ１は、当該セッション制御サーバＩＤの組の一方が自身のものであれば、他方のセッション制御サーバＩＤに対応するセッション制御サーバ１への呼をルーチングしないように規制を行う。
【００５９】
（１）または、例えば、複数のセッション制御サーバ１に輻輳が生じた場合、保守者は網管理端末４０１に当該セッション制御サーバ１などを示す制御指示を投入し、網管理端末４０１が輻輳制御装置４に制御指示を通知する（Ｓ２１）。
【００６０】
輻輳制御装置４は、輻輳した複数のセッション制御サーバを含むセッション制御サーバ群を示す当該複数のセッション制御サーバのセッション制御サーバＩＤに共通な一部分であるセッション制御サーバ群情報を含む輻輳制御指示を各セッション制御サーバに送信する（Ｓ２３）。
【００６１】
各セッション制御サーバ１は、輻輳制御指示からセッション制御サーバ群情報を取り出し保持し、該セッション制御サーバ１に呼が到来した場合は、該呼の宛先のセッション制御サーバ１を示すセッション制御サーバＩＤに前記保持したセッション制御サーバ群情報が含まれていれば、当該呼を規制する（Ｓ２５）。
【００６２】
図４は、かかる輻輳制御の具体例を示す図である。  
＃１、＃２のセッション制御サーバ１が共に輻輳した場合、輻輳制御装置４は、セッション制御サーバ群情報「area1.ns.co.jp」を含む輻輳制御指示を＃３〜＃６のセッション制御サーバ１に送信する。
【００６３】
例えば、＃４のセッション制御サーバ１は、輻輳制御指示からセッション制御サーバ群情報「area1.ns.co.jp」を取り出し保持する。
【００６４】
＃４のセッション制御サーバ１は、自身に呼が到来した場合、Request-URIという情報を取得し、Request-URIに、呼の宛先の電話回線の電話番号は含まれるが、宛先のセッション制御サーバ１のセッション制御サーバＩＤは含まれない場合、その電話番号（「０１１２１０１１１１」とする）を含む問い合わせをロケーションサーバ３に行う。当該電話番号の電話回線が＃１のセッション制御サーバ１に収容されている場合、＃４のセッション制御サーバ１は、ロケーションサーバ３から、＃１のセッション制御サーバ１を示すセッション制御サーバＩＤ「server1.area1.ns.co.jp」を通知される。Request-URIは、当該セッション制御サーバＩＤを含む場合もある。
【００６５】
＃４のセッション制御サーバ１は、当該セッション制御サーバＩＤ「server1.area1.ns.co.jp」にセッション制御サーバ群情報「area1.ns.co.jp」が含まれているので、当該呼を規制する。
【００６６】
また、＃４のセッション制御サーバ１は、自身に呼が到来し、取得したRequest-URIに、呼の宛先の電話回線の電話番号は含まれるが、宛先のセッション制御サーバ１のセッション制御サーバＩＤは含まれない場合、その電話番号（「０１２３１０５５５５」とする）を含む問い合わせをロケーションサーバ３に行う。当該電話番号の電話回線が＃２のセッション制御サーバ１に収容されている場合、＃４のセッション制御サーバ１は、ロケーションサーバ３から、＃２のセッション制御サーバ１を示すセッション制御サーバＩＤ「server2.area1.ns.co.jp」を通知される。Request-URIは、当該セッション制御サーバＩＤを含む場合もある。
【００６７】
＃４のセッション制御サーバ１は、当該セッション制御サーバＩＤ「server2.area1.ns.co.jp」にセッション制御サーバ群情報「area1.ns.co.jp」が含まれているので、当該呼を規制する。
【００６８】
したがって、＃４のセッション制御サーバ１は、セッション制御サーバ群情報「area1.ns.co.jp」を保持しておくことで、＃１、＃２のセッション制御サーバ１への呼を規制することができる。つまり、＃３〜＃６のセッション制御サーバ１は、＃１、＃２のセッション制御サーバ１のそれぞれについての輻輳制御指示を受け、その内容を保持しておく必要がなく、輻輳制御指示の削減を図れる。
【００６９】
図３に戻り、（２）または、同一のセッション制御サーバ１に収容された一部の電話回線群について輻輳があった場合、保守者は網管理端末４０１に当該セッション制御サーバ１と当該電話回線群などを示す制御指示を投入し、網管理端末４０１が輻輳制御装置４に制御指示を通知する（Ｓ２１）。
【００７０】
輻輳制御装置４は、当該電話回線群を示す当該複数の電話回線の電話番号に共通な一部分である電話回線群情報ならびに当該セッション制御サーバのセッション制御サーバＩＤを含む輻輳制御指示を各セッション制御サーバ１に送信する（Ｓ２３）。電話回線群情報は、例えば、局番である。
【００７１】
各セッション制御サーバ１は、輻輳制御指示から電話回線群情報ならびにセッション制御サーバＩＤを取り出し保持し、該セッション制御サーバ１に呼が到来した場合は、該呼の宛先の電話番号に前記保持した電話回線群情報が含まれ、かつ、該呼の宛先のセッション制御サーバを示すセッション制御サーバＩＤが前記保持したセッション制御サーバＩＤに一致すれば、当該呼を規制する（Ｓ２５）。
【００７２】
図５は、かかる輻輳制御の具体例を示す図である。  
＃１のセッション制御サーバ１に収容された複数の電話回線を含む電話回線群について輻輳があり、各電話番号が「０１１２１０」で始まる場合、輻輳制御装置４は、当該部分「０１１２１０」に等しい電話回線群情報「０１１２１０」ならびに＃１のセッション制御サーバ１のセッション制御サーバＩＤを「server1.area1.ns.co.jp」含む輻輳制御指示を＃２〜＃６のセッション制御サーバ１に送信する。輻輳制御指示は、「011210@server1.area1.ns.co.jp」のような内容としてもよい。
【００７３】
例えば、＃４のセッション制御サーバ１は、輻輳制御指示から電話回線群情報「０１１２１０」ならびにセッション制御サーバＩＤ「server1.area1.ns.co.jp」を取り出し保持する。
【００７４】
＃４のセッション制御サーバ１は、自身に呼が到来し、取得したRequest-URIに、呼の宛先の電話回線の電話番号は含まれるが、宛先のセッション制御サーバ１のセッション制御サーバＩＤは含まれない場合、その電話番号（「０１１２１０１１１１」とする）を含む問い合わせをロケーションサーバ３に行う。当該電話番号の電話回線が＃１のセッション制御サーバ１に収容されているので、＃４のセッション制御サーバ１は、ロケーションサーバ３から、＃１のセッション制御サーバ１を示すセッション制御サーバＩＤ「server1.area1.ns.co.jp」を通知される。Request-URIは、当該セッション制御サーバＩＤを含む場合もある。
【００７５】
＃４のセッション制御サーバ１は、宛先の電話番号「０１１２１０１１１１」に前記保持した電話回線群情報「０１１２１０」が含まれ、かつ、宛先のセッション制御サーバを示すセッション制御サーバＩＤ「server1.area1.ns.co.jp」が前記保持したセッション制御サーバＩＤ「server1.area1.ns.co.jp」に一致するので、当該呼を規制する。
【００７６】
また、＃４のセッション制御サーバ１は、自身に呼が到来し、取得したRequest-URIに、呼の宛先の電話回線の電話番号は含まれるが、宛先のセッション制御サーバ１のセッション制御サーバＩＤは含まれない場合、その電話番号（「０１１２２０３３３３」とする）を含む問い合わせをロケーションサーバ３に行う。当該電話番号の電話回線が＃１のセッション制御サーバ１に収容されているので、＃４のセッション制御サーバ１は、ロケーションサーバ３から、＃１のセッション制御サーバ１を示すセッション制御サーバＩＤ「server1.area1.ns.co.jp」を通知される。Request-URIは、当該セッション制御サーバＩＤを含む場合もある。
【００７７】
＃４のセッション制御サーバ１は、宛先の電話番号「０１１２２０３３３３」に前記保持した電話回線群情報「０１１２１０」が含まれていないので、宛先のセッション制御サーバを示すセッション制御サーバＩＤ「server1.area1.ns.co.jp」が前記保持したセッション制御サーバＩＤ「server1.area1.ns.co.jp」に一致していても、当該呼を規制しない。
【００７８】
また、＃４のセッション制御サーバ１は、自身に到来した呼の宛先の電話番号が「０１１２１０」で始まり、宛先のセッション制御サーバのセッション制御サーバＩＤが、ネットワーク１１に接続された＃６のセッション制御サーバ１のものであり、例えば、「nt.co.jp」で終わる場合、宛先の電話番号「０１１２２０ＸＸＸＸ」に前記保持した電話回線群情報「０１１２１０」が含まれていても、宛先のセッション制御サーバを示すセッション制御サーバＩＤは、前記保持したセッション制御サーバＩＤ「server1.area1.ns.co.jp」に一致しないので、当該呼を規制しない。つまり、電話端末１１１への呼は規制の対象外となる。
【００７９】
したがって、＃４のセッション制御サーバ１は、電話回線群情報「０１１２１０」およびセッション制御サーバＩＤ「server1.area1.ns.co.jp」を保持しておくことで、＃１のセッション制御サーバ１に収容された一部の電話回線への呼を規制し、＃１のセッション制御サーバ１に収容されたその他の電話回線への呼を規制しないようにすることができる。
【００８０】
また、＃４のセッション制御サーバ１は、電話回線群情報「０１１２１０」およびセッション制御サーバＩＤ「server1.area1.ns.co.jp」を保持しておくことで、＃１のセッション制御サーバ１に収容された一部の電話回線への呼を規制し、他のネットワーク１１に接続されたセッション制御サーバ１に収容された同一の電話番号の電話回線への呼を規制しないようにすることができる。
【００８１】
つまり、輻輳制御装置４、＃３〜＃６のセッション制御サーバ１は、きめ細かな輻輳制御を行うことができる。
【００８２】
図６は、図５と同じ輻輳制御についての別な具体例を示す図である。  
＃１０のセッション制御サーバ１には、公衆交換電話網ＰＳＴＮに属する＃１〜＃３の交換機ＳＷが接続され、＃１の交換機ＳＷには、「０４２」で始まる電話番号を有する複数の電話回線が収容され、＃２の交換機ＳＷには、「０４３」で始まる電話番号を有する複数の電話回線が収容され、＃３の交換機ＳＷには、「０４６」で始まる電話番号を有する複数の電話回線が収容されている。
【００８３】
＃２の交換機ＳＷで輻輳があった場合、保守者は網管理端末４０１に＃２の交換機ＳＷなどを示す制御指示を投入し、網管理端末４０１が輻輳制御装置４に制御指示を通知する  輻輳制御装置４は、電話回線群情報「０４３」ならびに＃１０のセッション制御サーバ１のセッション制御サーバＩＤ（「pstn.example.ne.jp」とする）を含む輻輳制御指示を＃１１、＃１２のセッション制御サーバ１に送信する。
【００８４】
＃１１、＃１２のセッション制御サーバ１は、輻輳制御指示から電話回線群情報「０４３」ならびにセッション制御サーバＩＤ「pstn.example.ne.jp」を取り出し保持する。
【００８５】
＃１１のセッション制御サーバ１は、自身に呼が到来し、取得したRequest-URIに、呼の宛先の電話回線の電話番号は含まれるが、宛先のセッション制御サーバ１のセッション制御サーバＩＤは含まれない場合、その宛先の電話番号（「０４３１２３４５６７８」とする）を含む問い合わせをロケーションサーバ３に行う。当該電話番号の電話回線が＃２の交換機ＳＷに収容されているので、つまり、間接的には、＃１０のセッション制御サーバ１に収容されているので、＃１１のセッション制御サーバ１は、ロケーションサーバ３から、セッション制御サーバＩＤ「pstn.example.ne.jp」を通知される。Request-URIは、当該セッション制御サーバＩＤを含む場合もある。
【００８６】
＃１１のセッション制御サーバ１は、宛先の電話番号「０４３１２３４５６７８」に前記保持した電話回線群情報「０４３」が含まれ、かつ、宛先のセッション制御サーバを示すセッション制御サーバＩＤ「pstn.example.ne.jp」が前記保持したセッション制御サーバＩＤ「pstn.example.ne.jp」に一致するので、当該呼を規制する。
【００８７】
一方、＃１２のセッション制御サーバ１は、自身に呼が到来し、取得したRequest-URIに、呼の宛先の電話回線の電話番号は含まれるが、宛先のセッション制御サーバ１のセッション制御サーバＩＤは含まれない場合、その電話番号（「０４６１２３４５６７８」とする）を含む問い合わせをロケーションサーバ３に行う。当該電話番号の電話回線が＃１の交換機ＳＷに収容されているので、つまり、間接的には、＃１０のセッション制御サーバ１に収容されているので、＃１１のセッション制御サーバ１は、ロケーションサーバ３から、セッション制御サーバＩＤ「pstn.example.ne.jp」を通知される。Request-URIは、当該セッション制御サーバＩＤを含む場合もある。
【００８８】
＃１２のセッション制御サーバ１は、宛先の電話番号「０４２１２３４５６７８」に前記保持した電話回線群情報「０４３」が含まれていないので、宛先のセッション制御サーバを示すセッション制御サーバＩＤ「pstn.example.ne.jp」が前記保持したセッション制御サーバＩＤ「pstn.example.ne.jp」に一致していても、当該呼を規制しない。よって、呼は、＃３の交換機ＳＷへと送信される。
【００８９】
図７は、各セッション制御サーバ１が、呼を規制する上で、呼の宛先のセッション制御サーバ１を示すセッション制御サーバＩＤに前記保持したセッション制御サーバ群情報が含まれるか否かを判定する方法を示す図である。
【００９０】
セッション制御サーバ１は、呼と到来とともに、Request-URIを取得する。Request-URIは、user部（文字「＠」より前の部分）とhost部（文字「＠」より後の部分）とからなる。user部は、宛先の電話回線の電話番号であり、host部は、宛先のセッション制御サーバ１を示すセッション制御サーバＩＤである。
【００９１】
セッション制御サーバ１は、セッション制御サーバ群情報とhost部を後ろから１文字づつ比較していき、セッション制御サーバ群情報の各文字がhost部の同位置の文字に一致すれば、セッション制御サーバＩＤにセッション制御サーバ群情報が含まれると判定する。
【００９２】
なお、セッション制御サーバＩＤは、ロケーションサーバ３から通知される場合もあるが、この場合、通知されたセッション制御サーバＩＤがhost部と同様に扱われて判定が行われる。
【００９３】
図８は、各セッション制御サーバ１が、呼を規制する上で、宛先の電話番号に前記保持した電話回線群情報が含まれ、かつ、宛先のセッション制御サーバを示すセッション制御サーバＩＤが前記保持したセッション制御サーバＩＤに一致するか否かを判定する方法を示す図である。
【００９４】
セッション制御サーバ１は、呼と到来とともに、上記のRequest-URIを取得する。  
セッション制御サーバ１は、電話回線群情報とuser部を前から１文字づつ比較していき、電話回線群情報の各文字がuser部の同位置の文字に一致すれば、宛先の電話番号に前記保持した電話回線群情報が含まれると判定する。
【００９５】
また、セッション制御サーバ１は、保持したセッション制御サーバＩＤとhost部を後ろから１文字づつ比較していき、セッション制御サーバＩＤの各文字がhost部の同位置の文字に一致すれば、宛先のセッション制御サーバを示すセッション制御サーバＩＤが前記保持したセッション制御サーバＩＤに一致すると判定する。
【００９６】
なお、セッション制御サーバＩＤは、ロケーションサーバ３から通知される場合もあるが、この場合、通知されたセッション制御サーバＩＤがhost部と同様に扱われて判定が行われる。
【符号の説明】
【００９７】
１、１Ａ、１Ｂ…セッション制御サーバ
２…電話端末
３…ロケーションサーバ
４…輻輳制御装置
４１…データベース部
４２…輻輳制御指示送信部
１０１…呼処理部
１０２…リソース監視部
１０３…規制要求部
１０４…ルーチング規制部
１１１…電話端末
４０１…網管理端末
【図１】
0005587249.tif 000002
【図２】
0005587249.tif 000003
【図３】
0005587249.tif 000004
【図４】
0005587249.tif 000005
【図５】
0005587249.tif 000006
【図６】
0005587249.tif 000007
【図７】
0005587249.tif 000008
【図８】
0005587249.tif 000009
【図９】
0005587249.tif 000010
【図１０】
0005587249.tif 000011
【図１１】
0005587249.tif 000012